(57)【要約】      （修正有）【課題】例えばコンピュータ関連機器やＡＶ機器等を収容したシステムラック等を載置して所定ストロークで進退動させるようにしたスライドベースユニットに係り、部品点数を極力少なくして操作性のよいスライドベースユニットを提供する。【解決手段】システムラック等を載置するスライドベース３をベースプレート２上に移動可能に設け、上記スライドベースを、上記ベースプレート上の通常配置位置と、それよりも所定ストローク前方に引き出した引き出し位置とに固定できるようにしたスライドベースユニットにおいて、上記スライドベースを上記通常配置位置と引き出し位置とに共通の固定ねじ１８で固定するようにしたことを特徴とする。また上記固定ねじによる上記スライドベースの通常配置位置と引き出し位置とに固定する操作をベースプレートの前側から行うようにした。【選択図】図１
2005235965.tif 000002
【特許請求の範囲】
【請求項１】
システムラック等を載置するスライドベースをベースプレート上に移動可能に設け、上記スライドベースを、上記ベースプレート上の通常配置位置と、それよりも所定ストローク前方に引き出した引き出し位置とに固定できるようにしたスライドベースユニットにおいて、上記スライドベースを上記通常配置位置と引き出し位置とに共通の固定ねじで固定するようにしたことを特徴とするスライドベースユニット。
【請求項２】
上記固定ねじによる上記スライドベースの通常配置位置と引き出し位置とに固定する操作をベースプレートの前側から行うようにした請求項１記載のスライドベースユニット。
【発明の詳細な説明】
【技術分野】
【０００１】
本発明は、例えばコンピュータ関連機器やＡＶ機器等を収容したシステムラック等を載置して所定ストロークで進退動させるようにしたスライドベースユニットに関する。
【背景技術】
【０００２】
従来、例えばコンピュータ関連機器やＡＶ機器等をシステムラック等に収容配置する場合、機器の入出力端子や配線コード等は通常システムラックの背面側に設けるのが一般的であり、上記のようなシステムラックに収容配置した機器の配線替えや点検等のメンテナンスを行う場合には、システムラックの背面側から行う必要があった。
【０００３】
そのため、例えば上記のようなシステムラックをオフィスの壁際等に並べて設置する場合には、そのシステムラックと壁との間にメンテナンスのためのスペースを確保しなければならない。また上記のスペースは、通常作業者が通れるだけの大きさが必要で、メンテナンス時以外はデッドスペースとなり、オフィス等の限られた空間を有効利用する上で障害となっていた。
【０００４】
そこで、例えば下記特許文献１においては、上記のようなシステムラック等を載置するスライドベースをベースプレート上に移動可能に設け、上記スライドベースを、上記ベースプレート上の通常配置位置と、それよりも前方に引き出した位置とに固定できるようにしたスライドベースユニットが提案されている。
【０００５】
しかしながら、上記従来のものは所定の通常配置位置と、メンテナンス時に所定ストローク引き出した引き出し位置とに、それぞれ固定する手段を各々別々の部品で構成しているので部品点数が多く製作コストが増大すると共に、上記固定手段をそれらの部品をユニットの前側と後側とに設けた構成であるから操作がしづらい等の不具合があった。
【０００６】
【特許文献１】特開平１１−１４５６３１号公報
【発明の開示】
【発明が解決しようとする課題】
【０００７】
本発明は上記従来の問題点に鑑みて提案されたもので、部品点数を極力少なくして操作性のよいスライドベースユニットを提供することを目的とする。
【課題を解決するための手段】
【０００８】
上記の目的を達成するための本発明によるスライドベースユニットは、以下の構成としたものである。すなわち、システムラック等を載置するスライドベースをベースプレート上に移動可能に設け、上記スライドベースを、上記ベースプレート上の通常配置位置と、それよりも所定ストローク前方に引き出した引き出し位置とに固定できるようにしたスライドベースユニットにおいて、上記スライドベースを上記通常配置位置と引き出し位置とに共通の固定ねじで固定するようにしたことを特徴とする。また上記固定ねじによる上記スライドベースの通常配置位置と引き出し位置とに固定する操作をベースプレートの前側から行うようにしたことを特徴とする。
【発明の効果】
【０００９】
上記のように、ベースプレートに対して移動可能なスライドベースを共通の固定ねじで通常の配置位置と引き出し位置とに固定するようにしたので、上記両位置に各々別々の固定ねじや固定手段で固定する場合に比べ、少ない部品で簡単・確実に固定できると共に、不使用中の固定ねじの紛失を防止することが可能となる。また上記固定ねじによる固定操作を、上記通常配置位置と引き出し位置のいずれにおいてもベースプレートの前側から行えるようにしたので、操作性がよく、メンテナンス等の際の作業スペースの確保が容易となる。
【発明を実施するための最良の形態】
【００１０】
以下、本発明によるスライドベースユニットを図に示す実施形態に基づいて具体的に説明する。図１（ａ）は本発明によるスライドベースユニットを備えたシステムラックの正面図、同図（ｂ）はその側面図、図２は上記システムラックを所定の前進位置に移動した状態の側面図、図３（ａ）はシステムラックを省略したスライドベースユニットの一部切り欠き平面図、同図（ｂ）はその側面図、図４は図３（ａ）においてＡ−Ａ線から見た正面図、図５（ａ）は図３（ａ）におけるＢ−Ｂ断面図、図５（ｂ）はその一部の拡大図、図６（ａ）は図３（ａ）におけるＣ−Ｃ断面図、図６（ｂ）はスライドベースユニットのスライドベースを通常配置位置に戻した状態の同上図、図７はスライドベースを通常配置位置に戻して固定する際の手順を示す説明図である。
【００１１】
図１において、Ｒはコンピュータ関連機器やＡＶ機器等を収容するシステムラックで、そのシステムラックＲの下部に本発明によるスライドベースユニット１が設けられている。なお上記システムラックＲの図１（ａ）に示す正面側には機器を出し入れするための開閉扉が設けられ、又それと反対側の背面側には配線用の開口部等が設けられているが図には省略した。
【００１２】
上記スライドベースユニット１は、ベースプレート２上にスライドベース３を図１（ｂ）で左右方向に移動可能に設け、そのスライドベース３上に上記のシステムラックＲを載置固定する構成であり、そのスライドベース３およびシステムラックＲは、常時は例えば図１（ｂ）に示すようにオフィスの壁際等の通常配置位置に配置され、メンテナンス等を行う際には、上記の通常配置位置から図で左側に所定ストロークだけ前進させて図２の引き出し位置に移動させてシステムラックＲの後側の壁Ｗとの間にメンテナンス用のスペースＳを確保する構成である。
【００１３】
上記ベースプレート２上には、図３（ａ）に示すようにスライドベース３を案内する断面Ｌ字形の一対のガイドレール４が配置され、そのガイドレール４の水平片４ａと共に上記ベースプレート２がオフィス等の床面Ｆ上にアンカーボルト５等で固定されている。一方、スライドベース３は、図５に示すように上記一対のガイドレール４の縦片４ｂを上から覆うように下面側が開口する断面略コ字形に形成され、その上部内面に取付けた４つのキャスタ６によって上記スライドベース３は上記ガイドレール４に沿って図２および図３において左右方向に移動可能である。
【００１４】
上記ベースプレート２の幅方向（図５で左右方向）両端部には断面コ字形の折り返し部２ａが形成され、スライドベース３の幅方向（図５で左右方向）両側下部には、上記折り返し部２ａとの干渉を避けて断面Ｌ字形の折曲部３ａが形成されている。その折曲部３ａの縦片と前記ガイドレール４の縦片４ｂとの間、および上記折曲部３ａの水平片と折り返し部２ａの上面との間には、それぞれの間隔を調整してベースプレート２に対するスライドベース３の幅方向および下方への移動やガタツキを防止する間隔調整部材７・７、８・８がそれぞれ接近対向して設けられ、またスライドベース３の折曲部３ａの縦片外面には上記折り返し部２ａの上面との間隔を調整してスライドベース３の上方への移動やガタツキを防止する間隔調整部材９が設けられている。
【００１５】
上記各間隔調整部材７〜９は、それぞれ図５に示すようにガイドレール４やスライドベース３もしくはベースプレート２にビス等で取付けられている。また上記間隔調整部材７〜９の長さ寸法は適宜であるが、本実施形態においては図５以外の図には省略したが、上記各間隔調整部材７〜９を取付けたガイドレール４やスライドベース３もしくはベースプレート２の図３で左右方向の長さ寸法と略同等に形成されている。上記間隔調整部材７〜９によって、前記スライドベース３は、上記ガイドレール４に沿って図２および図３で左右方向にガタツキなく進退動できるように構成されている。
【００１６】
上記ベースプレート２の上面には、図３に示すようにゴムダンパ１０を有する固定ストッパ１１が図に省略したビス等で取付けられ、スライドベース３の上部下面には可動ストッパ１２が図に省略したビス等で取付けられている。上記スライドベース３を図３で左方に前進させて同図および図６（ａ）に示す引き出し位置まで移動したとき、上記可動ストッパ１２がゴムダンパ１０を介して固定ストッパ１１に当接して、それよりも左方への移動が阻止される構成である。
【００１７】
上記スライドベース３とベースプレート２の後部側（図３で右側）には、スライドベース３を前記の引き出し位置から通常配置位置に戻した際に互いに係合してスライドベース３の上下動等を規制する位置決め係合ピン１３と係合部材１４とが設けられている。上記係合ピン１３は、本実施形態においては図３に示すようにスライドベース３の幅方向（図３で上下方向）に３つ設けられ、それぞれ図６に示すように逆Ｌ字形のブラケット１５を介してスライドベース３の下面に取付けられている。また上記係合部材１４は、本実施形態においては図３および図６に示すように上記各係合ピン１３が嵌るフランジ付きの３つの筒状体１４ａを共通１個の断面Ｌ字形の取付金具１４ｂを介してベースプレート２の後部上面に取付けた構成である。
【００１８】
また図３および図５に示すように前記Ｌ字形ガイドレール４の縦片４ｂの前端側（図３で左端側）の外側面には、上記スライドベース３を図３の引き出し位置に固定するためのブロック状の固定ナット１６が溶接等でガイドレール４に一体的に設けられ、スライドベース３に設けた貫通孔１７ａ有する固定位置決め部材１７を介して上記固定ナット１６の雌ねじ孔１６ａに固定ねじ１８をねじ込むことによって上記スライドベース３を引き出し位置に固定する構成である。図の場合は、貫通孔１７ａを有するブロック状の固定位置決め部材１７をスライドベース３の前記折曲部３ａの縦片外面にビス等で一体的に取付けた構成であるが図には省略した。
【００１９】
上記固定ナット１６は図３に示すようにガイドレール４の前端部に取付けられ、ベースプレート２の前部に位置する。また固定ナット１６の雌ねじ孔１６ａと、スライドベース３に設けた固定位置決め部材１７の貫通孔１７ａは、スライドベース３の側面に対して約４５°傾斜して設けられ、前記固定ねじ１８はベースプレート２の斜め前方から上記固定位置決め部材１７の貫通孔１７ａを通って固定ナット１６の雌ねじ孔１６ａにねじ込む構成である。上記固定ねじ１８は、本実施形態においては手動で容易に回動できるように、やや大径のノブ（把持部）１８ａ付きのものが用いられ、そのノブ１８ａが当接する固定位置決め部材１７の一端側は図３（ａ）に示すように上記貫通孔１７ａと直角方向で、スライドベース３の側面に対して約４５°傾斜した傾斜面に形成されている。
【００２０】
前記ガイドレール４の縦片４ｂの上記固定ナット１６と反対側の面には、図３に示すように平面Ｌ字形のブラケット２０が溶接等で一体的に取付けられ、そのブラケットには、スライドベース３を通常配置位置に戻したときにスライドベース３の正面板３０に形成した図４に示す係止孔３０ａに係合してスライドベース３のガタツキを防止する係合ピン２１と、スライドベース３を通常配置位置に固定する固定ナット２２とが設けられている。
【００２１】
上記係合ピン２１は、図７（ａ）に示すように、それと一体に設けたフランジ２１ａ付きのボルト２１ｂをブラケット２０に形成した孔に挿通してナット２１ｃで締め付け固定した構成であり、スライドベース３を通常配置位置に戻したときに、そのスライドベース３の正面板３０に形成した上記係止孔３０ａに上記係合ピン２１が図７（ｂ）のように係合してスライドベース３の浮き上がり等が防止される。
【００２２】
またスライドベース３を通常配置位置に固定する固定ナット２２は、ブラケット２０に溶接等で一体的に固着され、前記の固定ねじ１８を、図７（ｂ）および（ｃ）のように正面板３０に形成したねじ挿通孔３０ｂ（図４参照）を通して上記固定ナット２２にねじ込むことによってスライドベース３をベースプレート２上の通常配置位置に固定する構成である。上記のように本発明においてはスライドベース３を通常配置位置に固定する固定ねじ１８と、前記の引き出し位置に固定する固定ねじ１８とを共通のものを使用するようにしたものである。
【００２３】
上記の構成において、例えばコンピュータ関連機器等を収容したシステムラックＲを図１（ｂ）のようにオフィスの壁際等に設置するに当たっては、その設置位置の床面Ｆに本発明によるスライドベースユニット１のベースプレート２をアンカーボルト５等で固定する。次いで、システムラックＲを載置したスライドベース３を、ベースプレート２上に設けたガイドレール４に沿ってベースプレート３上に移動し、上記ガイドレール４にブラケット２０を介して取付けた係合ピン２１を、スライドベース３の正面板３０に形成した係止孔３０ａに係合させて位置決め係止させると共に、上記ブラケット２０に設けた固定ナット２２に固定ねじ１８をねじ込んでスライドベース３を通常配置位置に固定する。
【００２４】
次に、上記システムラックＲ内に収容した機器のメンテナンス等を行う場合には、上記固定ねじ１８を外して、スライドベース３の正面板３０に設けた取手２３等を握り、そのスライドベース３と共に上記システムラックＲを図２のように左方に前進させる。すると、スライドベース３に設けた可動ストッパ１２が、図３および図６（ａ）のようにゴムダンパ１０を介して固定ストッパ１１に当接して上記スライドベース３及びシステムラックＲが図２および図３の引き出し位置に移動する。そのとき、スライドベース３に設けた固定位置決め部材１７は、図のように固定ナット１６の近傍に移動する。
【００２５】
その状態で、上記の固定ねじ１８を、固定位置決め部材１７の貫通孔１７ａを通して固定ナット１６の雌ねじ孔１６ａにねじ込むことによって、上記スライドベース３及びシステムラックＲを上記の引き出し位置に固定するもので、その固定ねじ１８は上記スライドベース３を通常の配置位置に固定する際の固定ねじ１８をそのまま使用するので部品点数を削減できるとともに、ねじの紛失を防止することができる。また上記の固定ねじ１８による固定作業は通常の配置位置と引き出し位置のいずれにおいてもスライドベース３及びシステムラックＲの前側からできるので作業が容易である。
【００２６】
上記のようにしてスライドベース３及びシステムラックＲを図２及び図３のように所定の引き出し位置まで引き出すと、そのスライドベース３及びシステムラックＲと壁Ｗとの間には、図２のように大きなスペースが得られ、そのスペースを利用してシステムラックＲ内に収容した機器、特にシステムラック背面側に設けられた配線コード等の配線替えや増設等作業を容易に行うことができる。上記スライドベース３及びシステムラックＲを図１（ａ）において左右方向に多数並べて設置する場合も同様である。
【００２７】
そして、上記のメンテナンス作業が終了した後は、上記と逆の順序でスライドベース３及びシステムラックＲを図１（ｂ）の通常配置位置に戻して固定ねじ１８で同図（ａ）のように固定すればよく、そのとき、スライドベース３及びシステムラックＲと壁Ｗとの間に無駄なスペースが無くなってオフィス等の室内空間を有効に利用することができる。又その場合にも固定ねじ１８の脱着操作のみでスライドベース３及びシステムラックＲを移動位置に固定できると共に、その固定ねじ１８の脱着操作はスライドベース３及びシステムラックＲの前側から容易に行うことができるものである。
【００２８】
なお上記実施形態は、コンピュータ関連機器等を収容したシステムラックＲを本発明によるスライドベースユニット１に載置した状態でオフィス等の壁際に設置する場合を例にして説明したが、壁際に限らず、オフィス内等にシステムラックを背中合わせに多数並べて配置する場合にも適用可能であり、またコンピュータ関連機器に限らずＡＶ機器等を収容するラックもしくはロッカー或いは各種家具類等にも適用できる。
【００２９】
さらに上記実施形態は、スライドベース３を手動で進退動（出し入れ）させるようにしたが、該スライドベース３内にモータ等を内蔵させて動力で進退動させることも可能であり、またシステムラック等を載置した本発明によるスライドベースユニット１を複数個設置する場合には、それら全部もしくは所定個数ずつを一括して自動的に進退動させるように構成することもできる。
【産業上の利用可能性】
【００３０】
上記のように本発明によるスライドベースユニットは、ベースプレートに対して移動可能なスライドベース３を共通の固定ねじ１８で通常の配置位置と引き出し位置とに固定するようにしたので、少ない部品で簡単・確実に固定することができる。また上記固定ねじ１８による固定操作を、上記の通常配置位置と引き出し位置のいずれにおいてもスライドベースユニットの前側から行えるようにしたので、操作性がよく、メンテナンス等の際の作業スペースの確保が容易となる。その結果、システムラック等を移動可能に載置するスライドベースユニットの構成の選択の自由度を増大させることが可能となる。
【図面の簡単な説明】
【００３１】
【図１】（ａ）は本発明によるスライドベースユニットを備えたシステムラックの正面図、同図（ｂ）はその側面図。
【図２】上記システムラックを所定の引き出し位置に引き出した状態の側面図。
【図３】（ａ）は上記システムラックを省略したスライドベースユニットの一部切り欠き平面図、（ｂ）はその側面図。
【図４】図３（ａ）においてＡ−Ａ線から見た正面図。
【図５】（ａ）は図３（ａ）におけるＢ−Ｂ断面図、（ｂ）は（ａ）の一部の拡大図。
【図６】（ａ）は図３（ａ）におけるＣ−Ｃ断面図、（ｂ）はスライドベースを引っ込めた状態の同上図。
【図７】スライドベースを引っ込めた状態に固定する手順の説明図。
【符号の説明】
【００３２】
１  スライドベースユニット
２  ベースプレート
３  スライドベース
４  ガイドレール
５  アンカーボルト
６  キャスタ
７〜９  間隔調整部材
１０  ゴムダンパ
１１  固定ストッパ
１２  可動ストッパ
１３  係合ピン
１４  係合部材
１５  ブラケット
１６  固定ナット
１７  固定位置決め部材
１８  固定ねじ
２０  ブラケット
２１  係合ピン
２２  固定ナット
２３  取手
３０  正面板
３０ａ  係止孔
３０ｂ  ねじ挿通孔
Ｆ  床
Ｒ  システムラック
Ｗ  壁
【図１】
2005235965.tif 000003
【図２】
2005235965.tif 000004
【図３】
2005235965.tif 000005
【図４】
2005235965.tif 000006
【図５】
2005235965.tif 000007
【図６】
2005235965.tif 000008
【図７】
2005235965.tif 000009